【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
通信装置の制御を行う情報処理装置であって、
前記通信装置が接続可能なアクセスポイントの検索を、前記通信装置に対して命令する命令手段と、
前記通信装置が行った前記アクセスポイントの検索の終了を示す識別情報を取得する第１取得手段と、
前記命令手段による前記命令によって前記通信装置が行った前記アクセスポイントの検索の結果を取得する第２取得手段と、
を備え、
前記第１取得手段は、前記命令手段が前記命令を行う前と、前記命令手段が前記命令を行った後に前記識別情報を取得し、
前記第２取得手段は、前記命令手段が前記命令を行う前に前記第１取得手段が取得した前記識別情報と、前記命令手段が前記命令を行った後に前記第１取得手段が取得した前記識別情報とに基づいて、前記アクセスポイントの検索の結果を取得するか否かを決定する
ことを特徴とする情報処理装置。
【請求項２】
前記第２取得手段は、
前記命令手段が前記命令を行なう前に前記第１取得手段が取得した前記識別情報と、前記命令手段が前記命令を行なった後に前記第１取得手段が取得した前記識別情報とが異なる場合、前記アクセスポイントの検索の結果を取得し、
前記命令手段が前記命令を行なう前に前記第１取得手段が取得した前記識別情報と、前記命令手段が前記命令を行なった後に前記第１取得手段が取得した前記識別情報とが異ならない場合、前記アクセスポイントの検索の結果を取得しない
ことを特徴とする請求項１に記載の情報処理装置。
【請求項３】
前記第１取得手段は、前記命令手段が前記命令を行なう前に前記第１取得手段が取得した前記識別情報と異なる前記識別情報を取得するまで、前記識別情報の取得を繰り返すことを特徴とする請求項２に記載の情報処理装置。
【請求項４】
前記命令手段が前記命令を行なう前に前記第１取得手段が取得した前記識別情報に基づいて、直近で行なわれた前記アクセスポイントの検索から所定時間が経過しているか否かを判定する判定手段をさらに備え、
前記直近で行なわれた前記アクセスポイントの検索から所定時間が経過していると前記判定手段が判定した場合、前記第２取得手段は、前記命令手段が前記命令を行う前に前記第１取得手段が取得した前記識別情報と、前記命令手段が前記命令を行った後に前記第１取得手段が取得した前記識別情報に基づいて、前記アクセスポイントの検索の結果を取得するか否かを決定し、
前記直近で行なわれた前記アクセスポイントの検索から所定時間が経過していないと前記判定手段が判定した場合、前記命令手段は前記命令を行なわず、前記第２取得手段は前記決定を行なうことなく前記直近で行なわれた前記アクセスポイントの検索の結果を取得する
ことを特徴とする請求項１乃至請求項３のいずれか１項に記載の情報処理装置。
【請求項５】
前記識別情報は、前記通信装置において電源が投入されてからの経過時間を示すチックカウント値であり、当該チックカウント値は前記アクセスポイントの検索が終了する度にその終了時点の経過時間を示す値に更新されることを特徴とする請求項１乃至４のいずれか１項に記載の情報処理装置。
【請求項６】
前記識別情報は、前記アクセスポイントの検索の終了時点の時刻を示す情報であり、当該時刻を示す情報は前記アクセスポイントの検索が終了する度にその終了時点の時刻を示す情報に更新されることを特徴とする請求項１乃至４のいずれか１項に記載の情報処理装置。
【請求項７】
前記第２取得手段が取得した前記アクセスポイントの検索の結果を表示する表示手段と、
前記表示手段に表示したアクセスポイントのうち、ユーザによって選択されたアクセスポイントを介して前記通信装置と通信する通信手段と
をさらに備えることを特徴とする請求項１乃至６のいずれか１項に記載の情報処理装置。
【請求項８】
記録剤によって記録媒体上に画像を形成する形成手段を有する通信装置の制御を行うことを特徴とする請求項１乃至７のいずれか１項に記載の情報処理装置。
【請求項９】
前記識別情報は、前記通信装置が行った前記アクセスポイントの検索の終了毎に更新されることを特徴とする請求項１乃至８のいずれか１項に記載の情報処理装置。
【請求項１０】
前記第１取得手段は、前記識別情報を、前記通信装置が行った前記アクセスポイントの検索の結果が取得される前であり、且つ前記命令手段が前記命令を行う前の第１の時間と、前記通信装置が行った前記アクセスポイントの検索の結果が取得される前であり、且つ前記命令手段が前記命令を行った後の第２の時間において、前記通信装置から取得し、
前記第２取得手段は、前記第１の時間において前記第１取得手段によって取得された前記識別情報と、前記第２の時間において前記第１取得手段によって取得された前記識別情報とに基づいて、前記アクセスポイントの検索の結果を取得するか否かを決定する
ことを特徴とする請求項１乃至９のいずれか１項に記載の情報処理装置。
【請求項１１】
通信装置の制御を行う情報処理装置において実行される制御方法であって、
前記通信装置が接続可能なアクセスポイントの検索を、前記通信装置に対して命令する命令ステップと、
前記通信装置による前記アクセスポイントの検索の終了を示す識別情報を取得する第１取得ステップと、
前記命令ステップによる前記命令によって前記通信装置が行った前記アクセスポイントの検索の結果を取得する第２取得ステップと
を有し、
前記命令ステップで前記命令が行われる前に前記第１取得ステップで取得された前記識別情報と、前記命令ステップで前記命令が行われた後に前記第１取得ステップで取得された前記識別情報とに基づいて、前記アクセスポイントの検索の結果が前記第２取得ステップで取得される
ことを特徴とする制御方法。
【請求項１２】
前記命令ステップで前記命令が行われる前に前記第１取得ステップで取得された前記識別情報と、前記命令ステップで前記命令が行われた後に前記第１取得ステップで取得された前記識別情報とが異なる場合は、前記アクセスポイントの検索の結果が前記第２取得ステップで取得され、
前記命令ステップで前記命令が行われる前に前記第１取得ステップで取得された前記識別情報と、前記命令ステップで前記命令が行われた後に前記第１取得ステップで取得された前記識別情報とが異ならない場合は、前記アクセスポイントの検索の結果が前記第２取得ステップで取得されない
ことを特徴とする請求項１１に記載の制御方法。
【請求項１３】
第１取得ステップでは、前記命令ステップで前記命令が行われる前に取得された識別情報とは異なる識別情報が取得されるまで、識別情報の取得が繰り返されることを特徴とする請求項１２に記載の制御方法。
【請求項１４】
前記命令ステップで前記命令が行われる前に前記第１取得ステップで取得された前記識別情報に基づいて、直近で行なわれた前記アクセスポイントの検索から所定時間が経過しているか否かを判定する判定ステップをさらに有し、
前記直近で行なわれた前記アクセスポイントの検索から所定時間が経過していると前記判定ステップで判定された場合は、前記命令ステップで前記命令が行われる前に第１取得ステップで取得された前記識別情報と、前記命令ステップで前記命令が行われた後に前記第１取得ステップで取得された前記識別情報とに基づいて、前記アクセスポイントの検索の結果が前記第２取得ステップで取得され、
前記直近で行なわれた前記アクセスポイントの検索から所定時間が経過していないと前記判定ステップで判定された場合は、前記命令ステップで前記命令は行われず、前記直近で行なわれた前記アクセスポイントの検索の結果が前記第２取得ステップで取得される
ことを特徴とする請求項１１乃至請求項１３のいずれか１項に記載の制御方法。
【請求項１５】
前記識別情報は、前記通信装置において電源が投入されてからの経過時間を示すチックカウント値であり、当該チックカウント値は前記アクセスポイントの検索が終了する度にその終了時点の経過時間を示す値に更新されることを特徴とする請求項１１乃至１４のいずれか１項に記載の制御方法。
【請求項１６】
前記識別情報は、前記アクセスポイントの検索の終了時点の絶対時刻を示す情報であり、当該絶対時刻を示す情報は前記アクセスポイントの検索が終了する度にその終了時点の絶対時間を示す情報に更新されることを特徴とする請求項１１乃至１５のいずれか１項に記載の制御方法。
【請求項１７】
前記取得された前記アクセスポイントの検索の結果を表示する表示ステップと、
前記表示されたアクセスポイントのうち、ユーザによって選択されたアクセスポイントを介して前記通信装置と通信する通信ステップと、
をさらに有することを特徴とする請求項１１乃至１６のいずれか１項に記載の制御方法。
【請求項１８】
記録剤によって記録媒体上に画像を形成する形成手段を有する通信装置の制御を行う情報処理装置において実行されることを特徴とする請求項１１乃至１７のいずれか１項に記載の制御方法。
【請求項１９】
前記識別情報は、前記通信装置が行った前記アクセスポイントの検索の終了毎に更新されることを特徴とする請求項１１乃至１８のいずれか１項に記載の制御方法。
【請求項２０】
前記識別情報が、前記通信装置が行った前記アクセスポイントの検索の結果が前記第２取得ステップで取得される前であり、且つ前記命令ステップで前記命令が行われる前の第１の時間と、前記通信装置が行った前記アクセスポイントの検索の結果が前記第２取得ステップで取得される前であり、且つ前記命令ステップで前記命令が行われた後の第２の時間において、前記第１取得ステップで前記通信装置から取得され、
前記第１の時間において前記第１取得ステップで取得された前記識別情報と、前記第２の時間において前記第１取得ステップで取得された前記識別情報とに基づいて、前記アクセスポイントの検索の結果を取得するか否かが前記第２取得ステップで決定される
ことを特徴とする請求項１１乃至１９のいずれか１項に記載の制御方法。
【請求項２１】
コンピュータを、請求項１乃至１０のいずれか１項に記載の情報処理装置の各手段として機能させるためのプログラム。